(57)【要約】【課題】一つのヒンジレインフォースによって、ドアヒンジから荷重が入力した際のピラーの変形と、車両前後方向から衝撃荷重が入力した際のピラーの変形とを抑制する。【解決手段】ヒンジレインフォース４は、ヒンジ取付補強板部１８と上下のヒンジレインフォース起立板部１９とを有する。ヒンジ取付補強板部１８は、アウタパネル凸部８とピラーインナパネル２との間の閉断面に配置され、ヒンジ取付部１１に対して固定されてヒンジ取付部１１を補強する。上下のヒンジレインフォース起立板部１９は、ヒンジ取付補強板部１８の上端縁及び下端縁から車幅方向内側へ曲折されて相対向する。【選択図】図５
2010228707.tif 000002
【特許請求の範囲】
【請求項１】
車両の側部で起立してドア開口を区画するピラーをピラーインナパネルとともに構成し、前後のアウタパネルフランジ部とこれら前後のアウタパネルフランジ部から車幅方向外側に膨出するアウタパネル凸部とを有し、前記前後のアウタパネルフランジ部の車幅方向内面が前記ピラーインナパネルの車幅方向外面に接合されることにより該ピラーインナパネルとの間で閉断面を形成するとともに、ドアを開閉自在に連結支持するドアヒンジが取り付けられるヒンジ取付部を前記アウタパネル凸部に有するピラーアウタパネルと、
前記閉断面に配置され前記ヒンジ取付部に対して固定されて該ヒンジ取付部を補強するヒンジ取付補強板部と該ヒンジ取付補強板部の上端縁及び下端縁から車幅方向内側へ曲折されて相対向する上下のヒンジレインフォース起立板部と、を有するヒンジレインフォースと、
を備えたことを特徴とする車両のピラー補強構造。
【請求項２】
請求項１に記載の車両のピラー補強構造であって、
前記ヒンジレインフォースは、前記上下のヒンジレインフォース起立板部の車幅方向内側の端縁から上下にそれぞれ曲折され、前記左右のアウタパネルフランジ部の間を横断する上下のヒンジレインフォースフランジ部を有し、
前記上下のヒンジレインフォースフランジ部のそれぞれの前端部及び後端部は、前記アウタパネルフランジ部と前記ピラーインナパネルとの間に挟持される
ことを特徴とする車両のピラー補強構造。
【請求項３】
請求項２に記載の車両のピラー補強構造であって、
前記ヒンジ取付部を含み且つ前記ヒンジレインフォースよりも広く設定された前記ピラーアウタパネルの所定範囲に対して配置され、前記前後のアウタパネルフランジ部の車幅方向内面に近接又は接触する前後のピラーレインフォースフランジ部とこれら前後のピラーレインフォースフランジ部から車幅方向外側に膨出して前記アウタパネル凸部の車幅方向内面に近接又は接触するピラーレインフォース凸部とを有し、これら前後のピラーレインフォースフランジ部が前記アウタパネルフランジ部と前記ピラーインナパネルとの間に挟持されて前記ピラーアウタパネルの前記所定範囲を補強するピラーレインフォースを備え、
前記ヒンジレインフォースは、前記ピラーレインフォースと前記ピラーインナパネルとの間に配置され、
前記ヒンジ取付補強板部は、前記ピラーレインフォース凸部の車幅方向内面に接合され、
前記上下のヒンジレインフォースフランジ部は、前記上下のピラーレインフォースフランジ部の車幅方向内面にそれぞれ接合され、
前記上下のヒンジレインフォースフランジ部のそれぞれの前端部及び後端部は、前記ピラーレインフォースフランジ部と前記ピラーインナパネルとの間に挟持される
ことを特徴とする車両のピラー補強構造。
【発明の詳細な説明】
【技術分野】
【０００１】
本発明は、車両のピラー補強構造に関する。
【背景技術】
【０００２】
ドアを開閉自在に連結支持するドアヒンジがピラーに取り付けられる車両において、ドアヒンジの取付部を補強する構造は公知である。
【先行技術文献】
【特許文献】
【０００３】
【特許文献１】特開平１０−５９２０８号公報
【発明の概要】
【発明が解決しようとする課題】
【０００４】
しかし、上記構造は、ドアヒンジからの荷重入力に対しては有効であるが、車両衝突時に車両前後方向から入力する衝撃荷重によるピラーの変形を抑制するためには有効に機能せず、このため、変形抑制のための補強部材が別途必要になる。
【０００５】
そこで、本発明は、一つのヒンジレインフォースによって、ドアヒンジから荷重が入力した際のピラーの変形と、車両前後方向からの衝撃荷重が入力した際のピラーの変形とをともに抑制することが可能な車両のピラー補強構造の提供を目的とする。
【課題を解決するための手段】
【０００６】
上記目的を達成すべく、本発明の車両のピラー補強構造は、ピラーアウタパネルとヒンジレインフォースとを備える。
【０００７】
ピラーアウタパネルは、車両の側部で起立してドア開口を区画するピラーを、ピラーインナパネルとともに構成する。ピラーアウタパネルは、前後のアウタパネルフランジ部と、これら前後のアウタパネルフランジ部から車幅方向外側に膨出するアウタパネル凸部とを有する。前後のアウタパネルフランジ部の車幅方向内面は、ピラーインナパネルの車幅方向外面に接合される。これにより、アウタパネル凸部とピラーインナパネルとの間に閉断面が形成される。アウタパネル凸部はヒンジ取付部を有し、ヒンジ取付部にはドアを開閉自在に連結支持するドアヒンジが取り付けられる。
【０００８】
ヒンジレインフォースは、ヒンジ取付補強板部と上下のヒンジレインフォース起立板部とを有する。ヒンジ取付補強板部は、アウタパネル凸部とピラーインナパネルとの間の閉断面に配置され、ヒンジ取付部に対して固定されてヒンジ取付部を補強する。上下のヒンジレインフォース起立板部は、ヒンジ取付補強板部の上端縁及び下端縁から車幅方向内側へ曲折されて相対向する。
【０００９】
上記構成では、ヒンジ取付部に対して固定されるヒンジ取付補強板部は、ヒンジ取付部の局所的な補強壁として機能し、ドアヒンジから荷重が入力した際のピラーの変形を抑制する。
【００１０】
また、ヒンジ取付補強板部の上端縁及び下端縁から車幅方向内側へ曲折されて相対向する上下のヒンジレインフォース起立板部は、車両前後方向からの衝撃荷重入力時の断面変形を抑制する隔壁として機能し、衝撃荷重が入力した際のピラーの変形を抑制する。
【００１１】
すなわち、ヒンジレインフォースは、ヒンジ取付部の局所的な補強壁として機能と衝撃荷重入力時の断面変形抑制の隔壁としての機能とを併せ持つ。従って、部品点数の削減によるコスト及び重量の低減や組み付け作業性の向上を図ることができる。
【００１２】
また、ヒンジレインフォースは、上下のヒンジレインフォースフランジ部を有してもよい。上下のヒンジレインフォースフランジ部は、上下のヒンジレインフォース起立板部の車幅方向内側の端縁から上下にそれぞれ曲折され、左右のアウタパネルフランジ部の間を横断する。上下のヒンジレインフォースフランジ部のそれぞれの前端部及び後端部は、アウタパネルフランジ部とピラーインナパネルとの間に挟持される。
【００１３】
上記構成では、ヒンジレインフォース起立板部の車幅方向内側の端縁から上下にそれぞれ曲折され、左右のアウタパネルフランジ部の間を横断する上下のヒンジレインフォースフランジ部の前端部及び後端部を、アウタパネルフランジ部とピラーインナパネルとの間に挟持したので、車両前後方向からの衝撃荷重の入力時において、ヒンジレインフォース起立板部の車両前後方向に対する傾動がヒンジレインフォースフランジ部によって抑制される。従って、ヒンジレインフォース起立板部を、断面変形を抑制する隔壁としてさらに有効に機能させることができる。
【００１４】
また、ピラー補強構造は、ピラーレインフォースを備えてもよい。ピラーレインフォースは、ヒンジ取付部を含み且つヒンジレインフォースよりも広く設定されたピラーアウタパネルの所定範囲に対して配置される。ピラーレインフォースは、前後のピラーレインフォースフランジ部とピラーレインフォース凸部とを有する。前後のピラーレインフォースフランジ部は、前後のアウタパネルフランジ部の車幅方向内面に近接又は接触する。ピラーレインフォース凸部は、前後のアウタパネルフランジ部から車幅方向外側に膨出してアウタパネル凸部の車幅方向内面に近接又は接触する。前後のピラーレインフォースフランジ部は、アウタパネルフランジ部とピラーインナパネルとの間に挟持されてピラーアウタパネルの所定範囲を補強する。
【００１５】
ヒンジレインフォースは、ピラーレインフォースとピラーインナパネルとの間に配置される。ヒンジ取付補強板部は、ピラーレインフォース凸部の車幅方向内面に接合される。上下のヒンジレインフォースフランジ部は、上下のピラーレインフォースフランジ部の車幅方向内面にそれぞれ接合される。上下のヒンジレインフォースフランジ部のそれぞれの前端部及び後端部は、ピラーレインフォースフランジ部とピラーインナパネルとの間に挟持される。
【００１６】
上記構成では、ヒンジ取付補強板部は、ピラーレインフォース凸部の車幅方向内面に接合され、ヒンジレインフォースフランジ部は、ピラーレインフォースフランジ部の車幅方向内面に接合されるため、ヒンジレインフォース起立板部の車幅方向外側及び内側がピラーレインフォースに接合される。すなわち、上下のヒンジレインフォースフランジ部のそれぞれの前端部及び後端部がピラーレインフォースフランジ部とピラーインナパネルとの間に挟持され、且つヒンジレインフォース起立板部の車幅方向外側及び内側がピラーレインフォースに接合されるので、車両前後方向からの衝撃荷重の入力時において、ヒンジレインフォース起立板部の車両前後方向に対する傾動がさらに抑制され、ヒンジレインフォース起立板部を、断面変形を抑制する隔壁として一段と有効に機能させることができる。
【００１７】
なお、ピラーレインフォースフランジ部の車幅方向内面に、上下のヒンジレインフォースフランジ部のそれぞれの前端部及び後端部のうち少なくとも一つの端部が収容されるフランジ収容部が凹設してもよい。
【発明の効果】
【００１８】
本発明によれば、一つのヒンジレインフォースによって、ドアヒンジから荷重が入力した際のピラーの変形と、車両前後方向から衝撃荷重が入力した際のピラーの変形とを抑制することができる。
【図面の簡単な説明】
【００１９】
【図１】本発明の一実施形態の車両のピラー補強構造を車幅方向内側から視た側面図である。
【図２】図１のヒンジレインフォースの拡大斜視図である。
【図３】図１のＡ−Ａ矢視断面図である。
【図４】図１のＢ−Ｂ矢視断面図である。
【図５】ピラーアウタパネル及びピラーインナパネルを含む図１のＡ−Ａ矢視断面を模式的に示す断面図である。
【図６】図５の断面に衝撃荷重が入力した状態を示す断面図である。
【発明を実施するための形態】
【００２０】
以下、本発明の一実施形態を図１〜図６に基づいて説明する。なお、以下において、前後は車両の前後であり、内外は車幅方向の内外である。
【００２１】
本実施形態の車両のピラー補強構造は、ピラーアウタパネル１とピラーインナパネル２とピラーレインフォース３とヒンジレインフォース４とを備える。
【００２２】
ピラーアウタパネル１とピラーインナパネル２とは、車両の側部で起立してドア開口５を区画するピラー６を構成する。
【００２３】
ピラーアウタパネル１のうち開口５の前方部分は、前後のアウタパネルフランジ部７と、これら前後のアウタパネルフランジ部７から外側に膨出するアウタパネル凸部８とを有する。アウタパネル凸部８は、アウタパネル突出板部９と、アウタパネル突出板部９の前端縁及び後端縁から内側へ曲折されて前後のアウタパネルフランジ部７にそれぞれ連続するアウタパネル起立板部１０とを有する。前後のアウタパネルフランジ部７の内面は、ピラーインナパネル２の外面に接合される。これにより、アウタパネル凸部８とピラーインナパネル２との間に閉断面が形成される。
【００２４】
アウタパネル凸部８（アウタパネル突出板部９）はヒンジ取付部１１を有し、ヒンジ取付部１１にはドア開口５を閉するドア１２を開閉移動自在に連結支持するドアヒンジ１３が取り付けられる。
【００２５】
ピラーレインフォース３は、ピラーアウタパネル１の所定範囲に対して配置される。この所定範囲は、ヒンジ取付部１１を含み、且つヒンジレインフォース４よりも広く設定された範囲であり、本実施形態ではドア開口５の前下部である。ピラーレインフォース３のうち開口５の前方部分は、前後のピラーレインフォースフランジ部１４と、これら前後のピラーレインフォースフランジ部１４から外側に膨出するピラーレインフォース凸部１５とを有する。
【００２６】
前記ピラーレインフォース凸部１５は、前記アウタパネル突出板部９の内面に近接又は接触するピラーレインフォース突出板部１６と、前記前後のアウタパネル起立板部１０の後面及び前面にそれぞれ近接又は接触し、前記ピラーレインフォース突出板部１６の前端縁及び後端縁から内側へ曲折されて前後のピラーレインフォースフランジ部１４にそれぞれ連続するピラーレインフォース起立板部１７とを有する。前後のピラーレインフォースフランジ部１４は、前後のアウタパネルフランジ部７の内面に近接又は接触する。前後のピラーレインフォースフランジ部１４は、アウタパネルフランジ部７とピラーインナパネル２との間に挟持されてピラーアウタパネル１の所定範囲を補強する。
【００２７】
ヒンジレインフォース４は、ヒンジ取付補強板部１８と上下のヒンジレインフォース起立板部１９と上下のヒンジレインフォースフランジ部２０とを有し、ピラーレインフォース３とピラーインナパネル２との間に配置される。
【００２８】
ヒンジ取付補強板部１８は、ピラーレインフォース凸部１５とピラーインナパネル２との間の閉断面に配置され、ヒンジ取付部１１と対向するピラーレインフォース突出板部１６の内面に接合されて、ピラーレインフォース３とともにヒンジ取付部１１を補強する。ヒンジ取付補強板部１８の内面上には、ヒンジ１３を締結固定するためのウエルドナット２１が溶着されている。ウエルドナット２１による締結により、ヒンジ１３は、層状に重ねられたアウタパネル突出板部９とピラーレインフォース突出板部１６とヒンジ取付補強板部１８とに締結固定される。上下のヒンジレインフォース起立板部１９は、ヒンジ取付補強板部１８の上端縁及び下端縁から内側へ曲折されて相対向する。すなわち、アウタパネル起立板部１０とピラーレインフォース起立板部１７とがともに前後方向と交叉するように上下方向に沿って配置されているのに対し、ヒンジレインフォース起立板部１９は、上下方向と交叉するように前後方向に沿って配置されている。
【００２９】
上下のヒンジレインフォースフランジ部２０は、上下のヒンジレインフォース起立板部１９の内側の端縁から上下にそれぞれ曲折され、左右のアウタパネルフランジ部７の間（左右のピラーレインフォースフランジ部１４の間）を横断する。上下のヒンジレインフォースフランジ部２０は、上下のピラーレインフォースフランジ部１４の内面にそれぞれ接合される。上下のヒンジレインフォースフランジ部２０のそれぞれの前端部２０ａ及び後端部２０ｂは、アウタパネルフランジ部７とピラーインナパネル２との間（ピラーレインフォースフランジ部１４とピラーインナパネル２との間）に挟持される。
【００３０】
ピラーレインフォースフランジ部１４の内面には、上下のヒンジレインフォースフランジ部２０の後端部２０ｂが収容されるフランジ収容部２２が凹設されている。
【００３１】
本実施形態のピラー補強構造によれば、ヒンジ取付部１１に対して固定されるヒンジ取付補強板部１８は、ヒンジ取付部１１の局所的な補強壁として機能し、ドアヒンジ１３から荷重が入力した際のピラー６の変形を抑制する。
【００３２】
また、図６に示すように、ヒンジ取付補強板部１８の上端縁及び下端縁から内側へ曲折されて相対向する上下のヒンジレインフォース起立板部１９は、図中矢印で示すように前方から衝撃荷重が入力したとき、又は後方から衝撃荷重が入力したときに、ピラー６の断面変形を抑制する隔壁として機能し、衝撃荷重が入力した際のピラー６の変形を抑制する。
【００３３】
すなわち、ヒンジレインフォース４は、ヒンジ取付部１１の局所的な補強壁として機能と衝撃荷重入力時の断面変形抑制の隔壁としての機能とを併せ持つ。従って、部品点数の削減によるコスト及び重量の低減や組み付け作業性の向上を図ることができる。
【００３４】
また、ヒンジレインフォース起立板部１９の内側の端縁から上下にそれぞれ曲折され、左右のアウタパネルフランジ部７の間を横断する上下のヒンジレインフォースフランジ部２０の前端部及び後端部を、アウタパネルフランジ部７とピラーインナパネル２との間に挟持したので、車両前後方向からの衝撃荷重の入力時において、ヒンジレインフォース起立板部１９の前後方向に対する傾動がヒンジレインフォースフランジ部２０によって抑制される。従って、ヒンジレインフォース起立板部１９を、ピラー６の断面変形を抑制する隔壁としてさらに有効に機能させることができる。
【００３５】
また、ヒンジ取付補強板部１８は、ピラーレインフォース突出板部１６の内面に接合され、ヒンジレインフォースフランジ部２０は、ピラーレインフォースフランジ部１４の内面に接合されるため、ヒンジレインフォース起立板部１９の外側及び内側がピラーレインフォース３に接合された状態となる。すなわち、上下のヒンジレインフォースフランジ部２０のそれぞれの前端部及び後端部がピラーレインフォースフランジ部１４とピラーインナパネル２との間に挟持され、且つヒンジレインフォース起立板部１９の外側及び内側がピラーレインフォース３に接合されるので、前後方向からの衝撃荷重の入力時において、ヒンジレインフォース起立板部１９の車両前後方向に対する傾動がさらに抑制され、ヒンジレインフォース起立板部１９を、ピラー６の断面変形を抑制する隔壁として一段と有効に機能させることができる。
【００３６】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【産業上の利用可能性】
【００３７】
本発明は、車両のピラー補強構造として広く適用可能である。
【符号の説明】
【００３８】
１：ピラーアウタパネル
２：ピラーインナパネル
３：ピラーレインフォース
４：ヒンジレインフォース
５：ドア開口
６：ピラー
７：アウタパネルフランジ部
８：アウタパネル凸部
９：アウタパネル突出板部
１０：アウタパネル起立板部
１１：ヒンジ取付部
１２：ドア
１３：ドアヒンジ
１４：ピラーレインフォースフランジ部
１５：ピラーレインフォース凸部
１６：ピラーレインフォース突出板部
１７：ピラーレインフォース起立板部
１８：ヒンジ取付補強板部
１９：ヒンジレインフォース起立板部
２０：ヒンジレインフォースフランジ部
２１：ウエルドナット
２２：フランジ収容部
【図１】
2010228707.tif 000003
【図２】
2010228707.tif 000004
【図３】
2010228707.tif 000005
【図４】
2010228707.tif 000006
【図５】
2010228707.tif 000007
【図６】
2010228707.tif 000008